(57)【要約】【課題】電話機からのパスワードを含む簡単な操作で、任意の電話機のサービス内容をパスワードで特定される電話機のサービス内容に設定することができる電話交換システムにおける電話機のサービス内容設定方式を提供する。【解決手段】電話機毎に、当該電話機のサービス内容を登録保持しておくサービス内容メモリを備えて、該サービス内容メモリに登録保持された前記サービス内容に従って当該電話機に対する発信／着信の交換処理を行う電話交換システムであって、対象電話機の各識別番号のうち前記サービス内容を変換すべき対象電話機の識別番号を別の識別番号に一時的に変換するための変換テーブルを備え、前記交換処理は、該変換テーブルにより一時的に変換された前記識別番号に従って実行されるように構成されている。【選択図】　　　図１
2004040598.tif 000002
【特許請求の範囲】
【請求項１】
電話機毎に、当該電話機のサービス内容を登録保持しておくサービス内容メモリを備えて、該サービス内容メモリに登録保持された前記サービス内容に従って当該電話機に対する発信／着信の交換処理を行う電話交換システムであって、
対象電話機の各識別番号のうち前記サービス内容を変換すべき対象電話機の識別番号を別の識別番号に一時的に変換するための変換テーブルを備え、
前記交換処理は、該変換テーブルにより一時的に変換された前記識別番号に従って実行されるように構成された
電話交換システムにおける電話機のサービス内容設定方式。
【請求項２】
電話機毎に、当該電話機のサービス内容を登録保持しておくサービス内容メモリを備えて、該サービス内容メモリに登録保持された前記サービス内容に従って当該電話機に対する発信／着信の交換処理を行う電話交換システムであって、
サービス切替え機能として、
前記電話機毎に、サービス切替操作用に割り当てられたパスワードとサービス内容との少なくとも一方のサービス切替の実行に必要な対象電話機の電話番号と切替状態を含むサービス切替情報を保持するサービス切替情報用メモリをさらに備え、
前記サービス切替の実行に必要な前記サービス切替情報が当該電話機に割り当てられた前記パスワードとともに前記電話機から伝達されたとき、当該サービス切替情報を前記サービス切替情報用メモリにセットするか又は当該登録をクリアするかの制御をして、
前記電話機側から前記サービス内容メモリに登録保持されている前記サービス内容を一時的に変更し得るように構成された
電話交換システムにおける電話機のサービス内容設定方式。
【請求項３】
電話機毎に、当該電話機の電話番号，電話機名称，キー定義，着信鳴動，通話料金，規制等のサービス内容を登録保持しておくサービス内容メモリと、該サービス内容メモリに登録保持された前記サービス内容に従って当該電話機に対する発信／着信の交換処理を行うサービス交換処理モジュールとを備えた電話交換システムであって、
サービス切替え機能として、
前記電話機毎に、サービス切替操作用に割り当てられたパスワードとサービス内容との少なくとも一方のサービス切替の実行に必要な対象電話機の電話番号と切替状態を含むサービス切替情報を保持するサービス切替情報用メモリと、
前記サービス切替の実行に必要な前記サービス切替情報が当該電話機に割り当てられた前記パスワードとともに前記電話機から伝達されたとき、当該サービス切替情報を前記サービス切替情報用メモリにセットするか又は当該登録をクリアするかの制御をするとともに、当該電話機に当該サービス切替の状態を表示するための制御をするサービス切替モジュールと、
前記サービス切替情報用メモリに保持されている前記サービス切替情報に従って前記サービス内容メモリの登録内容を変更させる制御をするサービス切替交換モジュールとを備えて、
前記電話機側から前記サービス内容メモリに登録保持されている前記サービス内容を一時的に変更し得るように構成された
電話交換システムにおける電話機のサービス内容設定方式。
【発明の詳細な説明】
【０００１】
【発明の属する技術分野】
本発明は、ボタン電話装置／ＰＢＸまたは公衆網の交換機等の電話交換システムにおける電話機のサービス内容の設定に関するものである。
【０００２】
【従来の技術】
電話機のサービス内容は、ボタン電話装置（または交換機）内の加入者データとして、電話機毎に登録されている。このデータは電話機固有のものであり、通話料金や規制の如きデータもあることから、通常、工事保守者が管理（変更）するもので、ユーザは容易に変更することはできない。
【０００３】
【発明が解決しようとする課題】
従って、従来の装置においては、、通常各使用者が使用している電話機のサービス内容を、移動先の他の電話機で容易に切り替えて利用することはできず、その場合の移動先での使用者の電話機の利用態様は、その移動先の電話機に設定されたサービス内容に従って各電話機を使用することに限定されることになる。
【０００４】
本発明の目的は、従来技術の欠点を除去し、電話機からのパスワードを含む簡単な操作で、任意の電話機のサービス内容をパスワードで特定される電話機のサービス内容に設定することができる電話交換システムにおける電話機のサービス内容設定方式を提供することにある。
本発明の目的は、従来技術の欠点を除去し、電話機からのパスワードを含む簡単な操作で、任意の電話機のサービス内容をパスワードで特定される電話機のサービス内容に設定しさらには切り替えることができる電話交換システムにおける電話機のサービス内容設定方式を提供することにある。
【０００５】
【課題を解決するための手段】
この課題を解決するために、本発明による電話交換システムにおける電話機のサービス内容設定方式は、
電話機毎に、当該電話機のサービス内容を登録保持しておくサービス内容メモリを備えて、該サービス内容メモリに登録保持された前記サービス内容に従って当該電話機に対する発信／着信の交換処理を行う電話交換システムであって、
対象電話機の各識別番号のうち前記サービス内容を変換すべき対象電話機の識別番号を別の識別番号に一時的に変換するための変換テーブルを備え、
前記交換処理は、該変換テーブルにより一時的に変換された前記識別番号に従って実行されるように構成されている。
【０００６】
また、本発明による電話交換システムにおける電話機のサービス内容設定方式は、電話機毎に、当該電話機のサービス内容を登録保持しておくサービス内容メモリを備えて、該サービス内容メモリに登録保持された前記サービス内容に従って当該電話機に対する発信／着信の交換処理を行う電話交換システムであって、
サービス切替え機能として、
前記電話機毎に、サービス切替操作用に割り当てられたパスワードとサービス内容との少なくとも一方のサービス切替の実行に必要な対象電話機の電話番号と切替状態を含むサービス切替情報を保持するサービス切替情報用メモリをさらに備え、
前記サービス切替の実行に必要な前記サービス切替情報が当該電話機に割り当てられた前記パスワードとともに前記電話機から伝達されたとき、当該サービス切替情報を前記サービス切替情報用メモリにセットするか又は当該登録をクリアするかの制御をして、
前記電話機側から前記サービス内容メモリに登録保持されている前記サービス内容を一時的に変更し得るように構成することができる。
【０００７】
さらに、本発明による電話交換システムにおける電話機のサービス内容設定方式は、電話機毎に、当該電話機の電話番号，電話機名称，キー定義，着信鳴動，通話料金，規制等のサービス内容を登録保持しておくサービス内容メモリと、該サービス内容メモリに登録保持された前記サービス内容に従って当該電話機に対する発信／着信の交換処理を行うサービス交換処理モジュールとを備えた電話交換システムであって、
サービス切替え機能として、
前記電話機毎に、サービス切替操作用に割り当てられたパスワードとサービス内容との少なくとも一方のサービス切替の実行に必要な対象電話機の電話番号と切替状態を含むサービス切替情報を保持するサービス切替情報用メモリと、
前記サービス切替の実行に必要な前記サービス切替情報が当該電話機に割り当てられた前記パスワードとともに前記電話機から伝達されたとき、当該サービス切替情報を前記サービス切替情報用メモリにセットするか又は当該登録をクリアするかの制御をするとともに、当該電話機に当該サービス切替の状態を表示するための制御をするサービス切替モジュールと、
前記サービス切替情報用メモリに保持されている前記サービス切替情報に従って前記サービス内容メモリの登録内容を変更させる制御をするサービス切替交換モジュールとを備えて、
前記電話機側から前記サービス内容メモリに登録保持されている前記サービス内容を一時的に変更し得るように構成することができる。
【０００８】
【発明の実施の形態】
図１は本発明の一実施例であって、１は本発明の対象装置である電話装置である電話交換システム、２は本発明システムの主要部であるサービス切替え機能、１０１は端末番号００１の電話機、２０１は端末番号００３の電話機である。サービス切替え機能２において、３はサービス切替モジュール、４はサービス切替情報用メモリ、５はサービス切替交換モジュールである。電話交換システム１には、本来、サービス内容（加入者データ）メモリ６と交換処理モジュール７が設けられている。
【０００９】
以下、各部の機能と動作について説明する。
まず、サービス内容メモリ６には、電話機毎に、当該電話機の電話番号，電話機名称，キー定義等，着信鳴動，通話料金，規制等のサービス内容を登録保持しておく。
【００１０】
【表１】
2004040598.tif 000003
【００１１】
次に、交換処理モジュール７は、サービス内容メモリ６に登録保持されたサービス内容に従って当該電話機１０１，１０２に対する発信／着信の交換処理を行う。
【００１２】
さらに、サービス切替情報用メモリ４は、電話機１０１，・・，２０１毎に、サービス切替操作用に割り当てられたパスワード、及び、サービス内容の如きサービス切替の実行に必要な対象電話機１０１，・・，２０１の端末番号００１，・・，００３と切替状態を含むサービス切替情報を保持する。即ち、サービス切替情報用メモリ４には、端末番号００３を端末番号００１のサービス内容に変更した場合には、次の表２に示すサービス切替情報が、記憶されている。
【００１３】
【表２】
2004040598.tif 000004
【００１４】
ここで、「端末番号」欄は各端末電話機を識別するための論理番号であり、「パスワード」欄は各端末電話機からサービス切替設定を申し出るときに当該端末電話機の識別認証のために用いる認証記号である。また、「サービス切替情報」欄は「切替状態（移動中／切替中／通常）」及び「対象端末番号」であり、この表１は、端末番号００３を端末番号００１のサービス内容に変更する場合の例である。
【００１５】
次に、サービス切替モジュール３は、サービス切替の実行に必要な前記サービス切替情報が当該電話機に割り当てられた前記パスワードとともに前記電話機から伝達されたとき、当該サービス切替情報を前記サービス切替情報用メモリ４にセットするか又は当該登録をクリアするかの制御をするとともに、当該電話機に当該サービス切替の状態を表示するための制御をする。
【００１６】
また、サービス切替交換モジュール５は、前記サービス切替情報用メモリ４に保持されている前記サービス切替情報に従って前記交換処理モジュール７を制御し、発信／着信の交換処理を行う。
【００１７】
以下、本発明方式の動作について、説明をする。
（Ａ）サービス切替設定処理
（１）切替先（移動先）の電話機２０１より設定操作をする場合
切替先の電話機２０１（端末番号００３）より、切替元（常駐）の電話機１０１（端末番号００１）のパスワードを入力して、サービスを切り替える動作を図２を参照して説明する。
このときの入力信号は、〔特番（サービス切替先設定番号）＋パスワード（切替元電話機１０１（端末番号００１）〕である。
特番（サービス切替先設定）を電話機２０１から受信すると（Ｓ１）、以降に受信するダイヤル情報をサービス切替用のパスワードと認識し、操作した端末電話機２０１を切替先電話機，パスワードで特定される端末電話機１０１を切替元電話機とし、以降の処理を行う。
ｉ）　サービス切替情報メモリ４の、切替元電話機１０１（端末番号００１）の切替状態を「移動中」にし、切替先電話機２０１（端末番号００３）を対象端末番号としてセットする（Ｓ２）。
ｉｉ）　切替先電話機２０１（端末番号００３）へ移動中であることを、電話機１０１（端末番号００１）に、可視もしくは可聴表示する（Ｓ３）。
ｉｉｉ）　サービス切替情報メモリ４の、切替先電話機２０１（端末番号００３）の切替状態を「切替中」にし、切替元電話機１０１（端末番号００１）を対象端末番号としてセットする（Ｓ４）。
ｉＶ）　切替元電話機１０１（端末番号００１）にサービス切替中であることを、電話機２０１（端末番号００３）に、可視もしくは可聴表示する（Ｓ５）。
【００１８】
（２）切替元電話機１０１より設定操作をする場合
切替元の電話機１０１（端末番号００１）より、切替元の電話機１０１（端末番号００１）のパスワードと切替先の電話機２０１（端末番号００３）の電話番号（２０１）を入力して、サービスを切り替える動作を、図３を参照して説明する。
このときの入力信号は、〔特番（サービス切替元設定番号）＋パスワード（切替元電話機１０１（端末番号００１））＋電話番号（切替先の電話機２０１（端末番号００３））〕である。
特番（サービス切替元設定）を受信すると（Ｓ１１）、以降に受信するダイヤル情報をサービス切替用のパスワードと認識し、続いて受信するダイヤル情報を電話番号と認識し、その電話番号で指定された電話機２０１を切替先電話機、パスワードで特定される電話機１０１を切替元電話機とし、以降の処理を行う。
ｉ）　サービス切替情報メモリ４の、切替元電話機１０１（端末番号００１）の切替状態を「移動中」にし、切替先電話機２０１（端末番号００３）を対象端末番号としてセットする（Ｓ１２）。
ｉｉ）　切替先電話機２０１（端末番号００３）へ移動中であることを、電話機１０１（端末番号００１）に、可視もしくは可聴表示する（Ｓ１３）。
ｉｉｉ）　サービス切替情報メモリ４の、切替先電話機２０１（端末番号００３）の切替状態を「切替中」にし、切替元電話機１０１（端末番号００１）を対象端末番号としてセットする（Ｓ１４）。
ｉＶ）　切替元電話機１０１（端末番号００１）にサービス切替中であることを、電話機２０１（端末番号００３）に、可視もしくは可聴表示する（Ｓ１５）。
【００１９】
（３）任意の電話機より設定操作をする場合
任意の電話機より、切替元の電話機１０１（端末番号００１）のパスワードと、切替先の電話機２０１（端末番号００３）の電話番号（２０１）を入力して、サービスを切り替える動作を、図３を参照して説明する。
このときの入力信号は、〔特番（サービス切替任意設定番号）＋パスワード（切替元電話機１０１（端末番号００１）＋電話番号（切替先の電話機２０１（端末番号００３））〕である。
特番（サービス切替任意設定）を受信すると（Ｓ１１）、以降に受信するダイヤル情報をサービス切替用のパスワードと認識し、続いて受信するダイヤル情報を電話番号と認識し、その電話番号で指定された電話機２０１を切替先電話機、パスワードで特定される電話機１０１を切替元電話機とし、以降の処理を行う。
ｉ）　サービス切替情報メモリ４の、切替元電話機１０１（端末番号００１）の切替状態を「移動中」にし、切替先電話機２０１（端末番号００３）を対象端末番号としてセットする（Ｓ１２）。
ｉｉ）　切替先電話機２０１へ移動中であることを、電話機１０１（端末番号００１）に、可視もしくは可聴表示する（Ｓ１３）。
ｉｉｉ）　サービス切替情報メモリ４の、切替先電話機２０１（端末番号００３）の切替状態を「切替中」にし、切替元電話機１０１（端末番号００１）を対象端末番号としてセットする（Ｓ１４）。
ｉＶ）　切替元電話機１０１（端末番号００１）にサービス切替中であることを、電話機２０１（端末番号００３）に、可視もしくは可聴表示する（Ｓ１５）。
【００２０】
切替先電話機のサービス切替状態及び切替元電話機と切替先電話機の関係を判定する処理を行うことにより、以下の制御も可能となる。
▲１▼切替状態が通常の場合
上記（１）〜（３）の処理をする。
▲２▼切替状態が切替中でかつ切替先電話機＝切替元電話機の場合
既に他の電話機にサービスが切り替わっている電話機に対して、その電話機のパスワードでサービス切替操作を行うことにより、切替前のサービスに戻す。
すなわち、図２のＳ５まで操作が終了した状態において、既に電話機１０１（端末番号００１）のサービスに切替中となっている切替先電話機２０１（端末番号００３）でも、その電話機のパスワード（電話機２０１（端末番号００３））であれば、サービス切替設定操作を有効にすることにより、従来のサービスに戻すことを可能とする。
▲３▼切替状態が切替中でかつ切替先電話機≠切替元電話機の場合
操作を行った端末に、すでに他の端末がサービス切替で使用していることを可視もしくは可聴表示し、二重にサービス切替が設定されないようにする。
すなわち、図２のＳ５まで操作が終了した状態において、既に電話機１０１（端末番号００１）のサービスに切替中となっている切替先電話機２０１（端末番号００３）で、その電話機以外のパスワード（電話機２０１（端末番号００３））で、サービス切替設定操作を行った場合に、既に切替中であることを可視もしくは可聴表示し、操作を無効とすることにより、二重にサービス切替が設定できないようにする。
▲４▼切替状態が移動中の場合
操作を行った端末に、すでに他の端末でサービス切替中であることを可視もしくは可聴表示し、二重にサービス切替が設定されないようにする。
すなわち、図２のＳ３まで操作が終了した状態において、既に電話機２０１（端末番号００３）へサービスを移動している電話機１０１（端末番号００１）で、サービス切替設定操作を行った場合に、既に他の電話機でサービス切替中であることを可視もしくは可聴表示し、操作を無効とすることにより、二重にサービス切替が設定できないようにする。
【００２１】
上述の（２）（３）の操作は同一の処理として制御可能である。
【００２２】
（Ｂ）サービス切替解除処理
任意の電話機より、切替中の電話機１０１（端末番号００１）のパスワードを入力して、サービス切替状態を解除する動作を図４を参照して説明する。
このときの入力信号は、〔特番（サービス切替解除番号）＋パスワード（切替中電話機１０１（端末番号００１））〕である。
特番（サービス切替解除）を受信すると（Ｓ２１）、以降に受信するダイヤル情報をサービス切替用のパスワードと認識し、パスワードで特定される電話機１０１（端末番号００１）をサービス切替解除電話機とし、以降の処理を行う。
ｉ）　サービス切替情報メモリ４の、電話機１０１（端末番号００１）の切替状態をチェックし、「移動中」の場合、対象端末番号（端末番号００３）を切替先電話機として読み出す（Ｓ２２）。
切替状態が「移動中」以外の場合、操作が無効であることを、操作した端末に可視もしくは可聴表示する。
ｉｉ）　パスワードに対応する電話機１０１（端末番号００１）の「移動中」可視もしくは可聴表示を通常に戻す（Ｓ２３）。
ｉｉｉ）　切替先電話機２０１（端末番号００３）の「切替中」可視もしくは可聴表示を通常に戻す（Ｓ２４）。
ｉｖ）　サービス切替情報メモリ４の、電話機１０１（端末番号００１）及び電話機２０１（端末番号００３）の切替状態を通常にし、それぞれの対象端末番号をクリアする（Ｓ２５）。
【００２３】
（Ｃ）移動中端末処理
切替状態が「移動中」である場合、その端末１０１からの操作はサービス切替解除操作のみ有効とする。
【００２４】
（Ｄ）交換処理
以上のようにサービス切替設定された電話機１０１（移動中）、電話機２０１（切替中）及び設定していない通常状態の電話機の「発信」と「着信」の動作について、以降順次説明する。
【００２５】
（１）発信操作
図５を参照して説明する。
▲１▼電話機２０１での発信操作
サービス切替交換モジュール５で、操作した電話機２０１（端末番号００３）のサービス切替情報を、サービス切替情報メモリ４より読み出す（Ｓ３１）。切替状態は「切替中」となっているので（Ｓ３２）、対象端末００１（電話機１０１）のサービス内容で交換（発信）処理を実行するように交換処理モジュール７に指示する（Ｓ３３）。交換処理モジュール７では、指示された端末番号００１（電話機１０１）のサービス内容をサービス内容メモリ６より読み出し、その内容に従って交換（発信）処理を行う（Ｓ３４）。
【００２６】
▲２▼電話機１０１での発信操作
サービス切替交換モジュール５で、操作した電話機１０１（端末番号００１）のサービス切替情報を、サービス切替情報メモリ４より読み出す（Ｓ３１）。切替状態は「移動中」となっているので（Ｓ３５）、以下のデータ設定に従って処理を行う（Ｓ３６）。
例えば、次の処理を行う。
（イ）サービス切替操作以外を無効とする設定にした場合
ｉ）　サービス切替設定／解除特番を受信した場合には、サービス切替設定／解除処理を行う。
⇒サービス切替モジュールが起動
ｉｉ）　サービス切替設定／解除特番以外の操作に対しては、話中音等を送出する。
⇒交換処理モジュールへ指示
（ロ）通常の場合と同様に発信処理するに設定した場合
操作した電話機１０１（端末００１）のサービス内容で交換（発信）処理を実行するように交換処理モジュール７に指示する。この場合、交換処理モジュールでは、該当端末での操作が終了するまで、電話機２０１（端末００３）での発信操作を禁止（話中音等の送出）する。
【００２７】
▲３▼他の端末（サービス切替していない電話機）での発信操作
サービス切替交換モジュール５で、操作した電話機のサービス切替情報を、サービス切替情報メモリ４より読み出す（Ｓ３１）。切替状態は「通常」となっているので（Ｓ３７）、該当端末のサービス内容で交換（発信）処理を実行するように交換処理モジュール７に指示する（Ｓ３８）。交換処理モジュール７では、指示された端末番号のサービス内容をサービス内容メモリ６より読み出し、その内容に従って交換（発信）処理を行う（Ｓ３４）。
【００２８】
（２）着信処理
図６を参照して説明する。
▲１▼電話機１０１への着信処理
サービス切替交換モジュール５で、着信先電話機１０１（端末番号００１）のサービス切替情報を、サービス切替情報メモリ４より読み出す（Ｓ４１）。切替状態は「移動中」となっているので（Ｓ４２）、対象端末００３（電話機２０１）に対し、電話機１０１（端末番号００１）のサービス内容で交換（着信）処理を実行するように交換処理モジュール７に指示する（Ｓ４３）。交換処理モジュール７では、指示された端末番号００３（電話機２０１）のサービス内容（収容位置情報）をサービス内容メモリ６より読み出し、そこに接続されている端末に対し、着信先電話機１０１（端末番号００１）のサービス内容に従って交換（着信）処理を行う（Ｓ４４）。
【００２９】
▲２▼電話機２０１への着信処理
サービス切替交換モジュール５で、着信先電話機２０１（端末番号００３）のサービス切替情報を、サービス切替情報メモリ４より読み出す（Ｓ４１）。切替状態は「切替中」となっているので（Ｓ４５）、以下のデータ設定に従って処理を行う（Ｓ４６）。
例えば、次の処理を行う。
（イ）着信先を未接続として処理する設定にした場合
ｉ）　発信端末に話中音を送出する。
⇒交換処理モジュールへ指示
ｉｉ）　発信端末が他のシステムで、インタフェース上ビジーにできない場合には、着信を無視する。
⇒交換処理モジュールへ指示
（ロ）通常の場合と同様に着信処理するに設定した場合
着信先電話機２０１（端末番号００３）に対し、同端末のサービス内容で交換（着信）処理を実行するように交換処理モジュール７に指示する。その際、サービス切替前の電話機（電話機２０１）への着信であることが識別できるように、ＬＣＤの表示や鳴動パターンを変える等の指示も合わせて行う。
【００３０】
▲３▼他の端末（サービス切替していない電話機）への着信処理
サービス切替交換モジュール５で、着信先電話機のサービス切替情報を、サービス切替情報メモリ４より読み出す（Ｓ４１）。切替状態は「通常」となっているので（Ｓ４７）、該当端末のサービス内容で、該当端末に対して交換（着信）処理を実行するように交換処理モジュール７に指示する（Ｓ４８）。交換処理モジュール７では、指示された端末に対し、指示されたサービス内容に従って交換（着信）処理を行う（Ｓ４４）。
【００３１】
【発明の効果】
以上詳細に説明したように、電話機からの簡単な操作で、任意の電話機を特定の電話機のサービス内容に切り替えて使用できるようになる。また、切替操作にはパスワードが必要であることから、個人のセキュリティも保証されている。これにより、任意の電話機を一時的（解除操作をするまで）に、通常自分が使用している電話機のサービス内容で使用することができる。
応用例として、無線子機に対し、本発明によるサービス切り替え機能を用いて、移動する際、通常自分が使用している電話機のサービスに切り替えること、移動から戻ったら、共有用のサービス内容に戻すこと、等の操作を行うことができる。
【図面の簡単な説明】
【図１】本発明方式における電話交換システムの構成例を示すブロック図である。
【図２】本発明方式におけるサービス切替設定処理の動作を示すフロー図である。
【図３】本発明の電話交換システムにおけるサービス切替モジュールの動作例を示すフロー図である。
【図４】本発明方式におけるサービス切替解除処理の動作を示すフロー図である。
【図５】本発明の電話交換システムにおけるサービス切替交換モジュールの発信動作例を示すフロー図である。
【図６】本発明の電話交換システムにおけるサービス切替交換モジュールの着信動作例を示すフロー図である。
【符号の説明】
１　電話交換システム
２　サービス切替え機構
３　サービス切替モジュール
４　サービス切替情報メモリ
５　サービス切替交換モジュール
６　サービス内容メモリ
７　交換処理モジュール
【図１】
2004040598.tif 000005
【図２】
2004040598.tif 000006
【図３】
2004040598.tif 000007
【図４】
2004040598.tif 000008
【図５】
2004040598.tif 000009
【図６】
2004040598.tif 000010